(57)【特許請求の範囲】
【請求項１】
ライブラリ装置に電気を供給する電源手段と、
コンピュータが読み取り可能な媒体を複数収容可能な媒体収容手段と、
前記媒体に対して読み出し及び書き込みを行う媒体読み書き手段と、
前記媒体収容手段と前記媒体読み書き手段の間で前記媒体の移送を行う媒体移送手段と、
前記ライブラリ装置の動作を制御する制御手段と、
前記電源手段及び前記制御手段のそれぞれを押し込むことで電気的に接続でき、引き出すことでその接続を解除できる第１の接続手段と、を有し、
前記ライブラリ装置の側面のいずれかに沿って、前記電源手段、前記第１の接続手段及び前記制御手段が配置され、
前記第１の接続手段は、前記電源手段と前記制御手段の間に１つ配置され、前記電源手段及び前記制御手段に接続されることを特徴とするライブラリ装置。
【請求項２】
前記制御手段は、前記ライブラリ装置の前面から前記第１の接続手段に押し込まれ、また、引き出されることを特徴とする請求項１記載のライブラリ装置。
【請求項３】
前記電源手段は、前記ライブラリ装置の背面から前記第１の接続手段に押し込まれ、また、引き出されることを特徴とする請求項１又は２記載のライブラリ装置。
【請求項４】
前記媒体読み書き手段を押し込むことで電気的に接続でき、引き出すことでその接続を解除でき、前記第１の接続手段と電気的に接続される第２の接続手段を有することを特徴とする請求項１から３のいずれか１項に記載のライブラリ装置。
【請求項５】
前記媒体読み書き手段は、前記ライブラリ装置の背面から前記第２の接続手段に押し込まれ、また、引き出されることを特徴とする請求項４記載のライブラリ装置。
【請求項６】
前記電源手段、前記第１の接続手段及び前記制御手段が配置された側面に相対するもう１つの側面側には、前記媒体移送手段が前記ライブラリ装置の前面から背面まで移動可能な空間が形成されていることを特徴とする請求項１から５のいずれか１項に記載のライブラリ装置。
【請求項７】
前記媒体読み書き手段と前記媒体収容手段は、それぞれの媒体の抜き差し口が前記空間を向くように並んで配置され、
前記媒体収容手段は、一のセルに複数の媒体を収容可能なディープセル方式であることを特徴とする請求項６記載のライブラリ装置。
【発明の詳細な説明】
【技術分野】
【０００１】
本発明は、コンピュータが読み取り可能な記録媒体を複数収容するとともに、収容した記録媒体の読み出しや書き込みを行うライブラリ装置に関する。
【背景技術】
【０００２】
コンピュータが読み取り可能な記録媒体を複数収容するとともに、収容した記録媒体の読み出しや書き込みを行うライブラリ装置として、例えば特許文献１に開示されているものがある。この特許文献１にも示されている、本発明に関連するライブラリ装置の構成例を図３に示す。図３は、ライブラリ装置を上方から見た図（上面図）である。
【０００３】
図３に示すライブラリ装置では、背面側に、バックボード４を介して電気的に接続されたドライブ装置１、制御装置２及び電源装置３が配置されている。これらの装置１〜３はバックボード４に直接接続されており、背面側からの着脱が自在となっている。図３では、各装置１〜３を図中の矢印方向へ抜き出すことができる。制御装置１は１つのバックボード４に接続されているが、ドライブ装置１と電源装置３は１つのバックボード４を共有している。
【０００４】
また、図３に示すライブラリ装置では、両側の側面（第１の側面と第２の側面）に、マガジン６がそれぞれ装着される。マガジン６は、複数のセル（破線で区切られた部分）を有しており、１つのセル毎に媒体７（例えば磁気テープを包装したカートリッジ）を１つ収容している。これらの媒体はマガジン６に対して着脱自在であり、また、マガジン６はライブラリ装置に対して着脱自在である。マガジン６は前面側からの着脱が自在となっている。
【０００５】
また、図３に示すライブラリ装置では、２つのマガジン６の間にアクセッサ機構５が設けられている。アクセッサ機構５は、２つのマガジン６の間において、前面（正面）側から背面側へ又は背面側から前面側へ（図中の矢印方向）の移動が可能である。アクセッサ機構５は、例えば所定の媒体について読み出し又は書き込みの指示があった場合、その媒体の移送を行う。すなわち、アクセッサ機構５は、制御装置２からの指示に従って、指定された媒体７をマガジン６から抜き出し、ドライブ装置１へ移送し、そのスロット１０へ差し込む。媒体７の読み出し又は書き込みが終わると、アクセッサ機構５は、ドライブ装置１から媒体７を抜き出し、収容元のマガジン６へ移送し、収容元のセルへ差し込む。
【先行技術文献】
【特許文献】
【０００６】
【特許文献１】特開２００８−２１７９３８号公報
【発明の概要】
【発明が解決しようとする課題】
【０００７】
しかしながら、図３に示すライブラリ装置の構成では、背面側において、ドライブ装置１、制御装置２、電源装置３が並んで配置され、かつ、それら３つの装置で使用するためのバックボード４が２つ配置されているため、背面側にスペースがない。背面側にスペースがないと、以下の問題がある。
【０００８】
まず、マガジン６は、ライブラリ装置の奥行き方向（前面側から背面側への方向）においてその長さが制限される。図３の例では、マガジン６の長さはライブラリ装置の奥行き方向の長さのほぼ半分となっており、それ以上の長さのマガジンは利用できない。つまり、マガジン６の長さが制限されるため、収容できる媒体７の数も制限されてしまい、それ以上収容数を増やすことができないという問題がある。
【０００９】
また、アクセッサ機構５の可動範囲も、ライブラリ装置の奥行き方向において制限される。図３の例では、アクセッサ機構５の可動範囲も、ライブラリ装置の奥行き方向の長さのほぼ半分となっており、それ以上背面側方向へは可動できない。つまり、アクセッサ機構５の可動範囲が制限されるため、アクセッサ機構５が背面側まで移動することはできず、前面側から背面側までの可動範囲を必要とするディープセル方式（マガジンにおいて１つのセルに複数の媒体を収容する方式）を採用しても、媒体の収容数を増やすことができないという問題がある。
【００１０】
本発明は、上記事情に鑑みてなされたものであり、ライブラリ装置の背面側にマガジンを拡張するスペースを確保できるライブラリ装置を提供することを目的とする。
【課題を解決するための手段】
【００１１】
かかる目的を達成するために、本発明のライブラリ装置は、ライブラリ装置に電気を供給する電源手段と、コンピュータが読み取り可能な媒体を複数収容可能な媒体収容手段と、媒体に対して読み出し及び書き込みを行う媒体読み書き手段と、媒体収容手段と媒体読み書き手段の間で媒体の移送を行う媒体移送手段と、ライブラリ装置の動作を制御する制御手段と、電源手段及び制御手段のそれぞれを押し込むことで電気的に接続でき、引き出すことでその接続を解除できる第１の接続手段と、を有し、ライブラリ装置の側面のいずれかに沿って、電源手段、第１の接続手段及び制御手段が配置され、第１の接続手段は、電源手段と制御手段の間に１つ配置され、電源手段及び制御手段に接続されることを特徴とする。
【発明の効果】
【００１２】
本発明によれば、ライブラリ装置の背面側にマガジンを拡張するスペースを確保できるライブラリ装置を提供することが可能となる。
【図面の簡単な説明】
【００１３】
【図１】本発明の一実施形態に係るライブラリ装置の構成例を示す上面図である。
【図２】本発明の一実施形態に係るライブラリ装置の構成例を示す側面図及び背面図である。
【図３】本発明に関連するライブラリ装置の構成例を示す上面図である。
【発明を実施するための形態】
【００１４】
以下、本発明を実施するための形態（実施形態）について添付図面を参照して詳細に説明する。図１は、本発明の一実施形態であるライブラリ装置を上方から見た図（上面図）である。図２は、本発明の一実施形態であるライブラリ装置を側面及び背面から見た図（側面図）であり、（ａ）は図１に示す第１の側面から見た図であり、（ｂ）は図１に示す第２の側面から見た図であり、（ｃ）は図１に示す背面から見た図である。なお、図２（ｂ）ではアクセッサ機構５の図示を省略している。
【００１５】
本実施形態のライブラリ装置は、ドライブ装置１、制御装置２、電源装置３、バックボード４、アクセッサ機構５、マガジン６、媒体７、ＬＡＮコネクタ８、フロントパネル９を有する。
【００１６】
マガジン６は、媒体収容手段の一例である。このマガジン６は、複数のセル（破線で区切られた部分）を有しており、１つのセル毎に媒体７を２つ収容している。すなわち本実施形態では、ディープセル方式が採用されている。本実施形態では、マガジン６は、図２（ｂ）に示すように、ライブラリ装置の上下方向に３段のディープセルを備え、ライブラリ装置の奥行き方向に５列のディープセルを備えている。また、マガジン６はライブラリ装置に対して着脱自在である。着脱はライブラリ装置の前面（正面）側から行われる。
【００１７】
媒体７は、コンピュータが読み取り可能な記録媒体であり、例としては、磁気テープを包装したカートリッジが挙げられる。この媒体７は、マガジン６に対して着脱自在である。
【００１８】
アクセッサ機構５は、媒体移送手段の一例である。このアクセッサ機構５は、前面側から背面側へ又は背面側から前面側への移動（ライブラリ装置の奥行き方向での移動。図１中の両矢印方向）が可能である。ライブラリ装置の奥行き方向におけるアクセッサ機構５の可動範囲は、図１に示すように前面と背面の間となっている。また、アクセッサ機構５は、ライブラリ装置の上部側から下部側へ又は下部側から上部側への移動（ライブラリ装置の上下方向での移動。図２（ｂ）中の両矢印方向）が可能である。ライブラリ装置の上下方向におけるアクセッサ機構５の可動範囲は、ライブラリ装置の上面と底面の間となっている。アクセッサ機構５は、例えば所定の媒体について読み出し又は書き込みの指示があった場合、その媒体の移送を行う。すなわち、アクセッサ機構５は、制御装置２からの指示に従って、指定された媒体７をマガジン６から抜き出し、ドライブ装置１へ移送し、そのスロット１０へ差し込む。媒体７の読み出し又は書き込みが終わると、アクセッサ機構５は、ドライブ装置１のスロット１０から媒体７を抜き出し、収容元のマガジン６へ移送し、収容元のセルへ差し込む。なお、ディープセル方式では、指定された媒体７がセルの奥側に収容されている場合、そのセルの手前に収容されている媒体を空きセルに一時的に退避させる退避動作が必要となるが、アクセッサ機構５はその退避動作も行う。
【００１９】
ドライブ装置１は、媒体読み書き手段の一例である。このドライブ装置１は、スロット１０に差し込まれた媒体７に対し、データの読み出し又はデータの書き込みを行う。本実施形態では、図２（ｂ）及び（ｃ）に示すように、２つのドライブ装置１が上下に重なって配置されている。
【００２０】
制御装置２は、制御手段の一例である。この制御装置２は、ライブラリ装置の動作を制御する。例えば、ユーザにより媒体７の読み出し指示を受けた場合、アクセッサ機構５に対しては媒体７の移送を行うように制御し、ドライブ装置１に対しては移送された媒体７の読み出しを行うように制御する。
【００２１】
電源装置３は、電源手段の一例である。この電源装置３は、ライブラリ装置を動作させるための電気を供給する。
【００２２】
バックボード４は、第１の接続手段の一例である。このバックボード４は、ライブラリ装置内の各装置（デバイス）を電気的に接続するコネクタである。制御装置２及び電源装置３は、バックボード４に対し、押し込まれることで直接接続され、また、引き出されることでその接続を解除できるようになっている。一方、後述するＬＡＮコネクタ８及びフロントパネル９のそれぞれはケーブルを介してバックボード４に接続されるようになっている。また、アクセッサ機構５は、フロントパネル９とケーブルで接続されるので、結果的にフロントパネル９を介してバックボード４に接続されることになる。また、バックボード４は、コネクタ１１を介して、後述するバックボード１２と電気的に接続されている。
【００２３】
バックボード１２は、第２の接続手段の一例である。このバックボード１２も、ライブラリ装置内の各装置（デバイス）を電気的に接続するコネクタである。ドライブ装置１は、バックボード１２に対し、押し込まれることで直接接続され、また、引き出されることでその接続を解除できるようになっている。また、バックボード１２は、コネクタ１１を介して、上述したバックボード４と電気的に接続されている。なお、本実施形態では、バックボード４とバックボード１２の２つに分けたが、それらをまとめて１つにしてもよい。
【００２４】
ＬＡＮコネクタ８は、ライブラリ装置をローカルエリアネットワークに接続可能なコネクタである。
【００２５】
フロントパネル９は、ユーザに対して、各種操作を受け付けたり、各種情報を表示したりする。
【００２６】
本実施形態のライブラリ装置は、図１及び図２（ａ）に示すように、制御装置２と電源装置３とが、２つある側面のうちの第１の側面に沿って配置されている。また、制御装置２と電源装置３の間にはバックボード４が配置されている。バックボード４の配置位置は、ライブラリ装置の奥行き方向において、ほぼ中央部分となっている。
【００２７】
また、図１に示すように、第１の側面に沿って配置された制御装置２、バックボード４及び電源装置３の隣には、マガジン６が装着され、ドライブ装置１が配置されている。マガジン６と、電源装置３及びバックボード４との間には、バックボード１２が配置されている。バックボード１２とバックボード４は隣接して並列に配置されており、コネクタ１１を介して電気的に接続されている。
【００２８】
ドライブ装置１は、その背面が電源装置３の隣に位置するように配置されている。すなわち、ドライブ装置１は、スロット１０における媒体７の出入口（抜き差し口）が第２の側面の方向を向くように設置される。また、マガジン６も、各ディープセルにおける媒体７の出入口（抜き差し口）が第２の側面の方向を向くように装着される。そして、スロット１０における媒体７の出入口と各ディープセルにおける媒体７の出入口は、並列となっている。
【００２９】
また、図１に示すように、第２の側面側にはアクセッサ機構５が設けられている。また、第２の側面に沿って、アクセッサ機構５の可動範囲（ライブラリ装置の奥行き方向における可動範囲）である空間が設けられている。上述したスロット１０における媒体７の出入口と各ディープセルにおける媒体７の出入口はこの空間の方を向いており、アクセッサ機構５はそれらの出入口から媒体７の抜き差しを行う。
【００３０】
また、図１において、バックボード４には制御装置２と電源装置３が電気的に接続されている。制御装置２と電源装置３は、バックボード４に対して着脱（押し込み、引き出し）自在であり、バックボード４に直接接続される。制御装置１は、ライブラリ装置の前面から、バックボード４に押し込まれることで接続される。また、接続されている制御装置１を前面方向（図１中の矢印方向）へ引き出すことができる。これにより接続が解除される。また、電源装置３は、ライブラリ装置の背面から、バックボード４に押し込まれることで接続される。また、接続されている電源装置３を背面方向（図１中の矢印方向）へ引き出すことができる。これにより接続が解除される。
【００３１】
また、図１において、バックボード１２にはドライブ装置１が電気的に接続されている。ドライブ装置１は、バックボード１２に対して着脱（押し込み、引き出し）自在であり、バックボード１２に直接接続される。ドライブ装置１は、ライブラリ装置の背面から、バックボード１２に押し込まれることで接続される。また、接続されているドライブ装置１を背面方向（図１中の矢印方向）へ引き出すことができる。これにより接続が解除される。
【００３２】
なお、本実施形態では、制御装置２と電源装置３とを、第１の側面に沿うように配置したが、第２の側面に沿うように配置してもよい。また、本実施形態では、制御装置２を前面側、電源装置３を背面側に配置したが、これらを逆にして、電源装置３を前面側、制御装置２を背面側に配置してもよい。
【００３３】
以上説明したように、本実施形態によれば、従来ライブラリ装置の背面側に設置されていた制御装置２及び電源装置３を、ライブラリ装置の側面に沿って配置するとともに、制御装置２及び電源装置３に共通のバックボード４を設け、そのバックボード４を制御装置２と電源装置３との間に設ける構成を特徴とする。この構成により、ライブラリ装置の奥行き方向において、従来の構成（例えば図３）よりも、マガジンを拡張するスペースを確保できる。そのため、収容するマガジンの長さを長くできるので、収容する媒体の数を増やすことができる。また、アクセッサ機構を前面から背面まで可動するようにできるので、ディープセル方式を採用して、収容する媒体の数を増やすことができる。
【００３４】
また、図３のような構成では複数のバックボードを別々に離れて設けることでそれらを繋ぐケーブルが必要であったが、本実施形態では複数のバックボードを隣接するように設けているので、そのケーブルを備える必要がない。
【００３５】
また、本実施形態では、ライブラリ装置の前面と背面から、内蔵する装置を着脱可能としているので、保守の利便性が高まる。
【００３６】
以上、本発明の実施形態について説明したが、上記実施形態に限定されるものではなく、その要旨を逸脱しない範囲において種々の変形が可能である。
【符号の説明】
【００３７】
１    ドライブ装置
２    制御装置
３    電源装置
４    バックボード
５    アクセッサ機構
６    マガジン
７    媒体
８    ＬＡＮコネクタ
９    フロントパネル
１０    スロット
１１    コネクタ
１２    バックボード
【図１】
0005432018.tif 000002
【図２】
0005432018.tif 000003
【図３】
0005432018.tif 000004